(57)【要約】【課題】ネットワークを介して提供されるサービスが利用可能な状態であるか否かを調べる場合におけるユーザの作業の負担を軽減することが可能な映像受信機を提供する。【解決手段】このテレビジョン装置１０（映像受信機）は、テレビジョン映像を受信するチューナ１２と、サービスを提供するサーバとネットワークを介して接続可能なＬＡＮ通信部１１と、少なくともＬＡＮ通信部１１とサーバとの接続状態に基づいてサーバにより提供されるサービスが利用可能な状態であるか否かの判断を行うとともに、少なくとも利用可能な状態と判断したサービスをユーザに通知する制御を行う制御部１３とを備える。【選択図】図２
2011239116.tif 000002
【特許請求の範囲】
【請求項１】
テレビジョン映像を受信する映像受信部と、
サービスを提供するサーバとネットワークを介して接続可能な通信部と、
少なくとも前記通信部と前記サーバとの接続状態に基づいて前記サーバにより提供される前記サービスが利用可能な状態であるか否かの判断を行うとともに、少なくとも利用可能な状態と判断した前記サービスをユーザに通知する制御を行う制御部とを備えた、映像受信機。
【請求項２】
前記制御部は、前記少なくとも利用可能な状態と判断されたサービスをユーザが視覚的に認識可能なようにユーザに通知する制御を行うように構成されている、請求項１に記載の映像受信機。
【請求項３】
前記サーバは、コンテンツを配信するサービスを提供するように構成されており、
前記制御部は、前記通信部と前記サーバとの接続が有効である場合に、前記通信部を介して前記サーバにより配信される前記コンテンツの一覧を示すコンテンツリストを取得するとともに、前記コンテンツリストが取得された場合に、前記サーバにより提供される前記サービスが利用可能な状態であると判断するように構成されている、請求項１または２に記載の映像受信機。
【請求項４】
前記制御部は、前記サーバが外部ネットワーク上にある場合には、ユーザにより予め設定されたログイン情報を用いて前記外部ネットワーク上の前記サーバにログインを行うとともに、前記外部ネットワーク上の前記サーバの前記コンテンツリストを取得するように構成されている、請求項３に記載の映像受信機。
【請求項５】
前記制御部により取得された前記コンテンツリストを記憶するコンテンツリスト記憶部をさらに備える、請求項３または４に記載の映像受信機。
【請求項６】
前記制御部は、前記サーバにより提供される前記サービスが利用可能な状態であるか否かの判断を定期的に行うように構成されている、請求項１〜５のいずれか１項に記載の映像受信機。
【請求項７】
前記サービスは、複数のサービスを含み、
前記制御部は、利用可能な状態と判断された前記サービスと、利用不可能な状態と判断された前記サービスとをユーザが視覚的に認識可能なようにユーザに通知する制御を行うように構成されている、請求項１〜６のいずれか１項に記載の映像受信機。
【請求項８】
前記コンテンツを再生可能なコンテンツ表示部をさらに備え、
前記制御部は、前記複数のサービスを、それぞれ利用可能な状態と判断されたか否かをユーザが視覚的に識別可能な状態で一覧表示する判断結果表示画面を前記コンテンツ表示部に表示させることにより、利用可能な状態と判断された前記サービスと、利用不可能な状態と判断された前記サービスとをユーザが視覚的に認識可能なようにユーザに通知するように構成されている、請求項７に記載の映像受信機。
【請求項９】
前記複数のサービスに対応する複数の発光部をさらに備え、
前記制御部は、前記複数の発光部のうち、利用可能な状態と判断された前記サービスに対応する前記発光部を点灯または点滅させることにより、利用可能な状態と判断された前記サービスと、利用不可能な状態と判断された前記サービスとをユーザが視覚的に認識可能なようにユーザに通知するように構成されている、請求項７に記載の映像受信機。
【発明の詳細な説明】
【技術分野】
【０００１】
この発明は、映像受信機に関し、特に、サービスを提供するサーバとネットワークを介して接続可能な映像受信機に関する。
【背景技術】
【０００２】
従来、サービスを提供するサーバとネットワークを介して接続可能な映像受信機が知られている（たとえば、特許文献１参照）。
【０００３】
上記特許文献１には、サービス発見部（制御部）を備えるユーザ端末装置（映像受信機）と、ユーザ端末装置にネットワークを介して接続されるサービス提供装置（サーバ）とから構成されるサービス提供システムが開示されている。この特許文献１には、ユーザ端末装置に専用のクライアントプログラムをインストールすることなく、サービス提供装置により提供されるサービスをユーザ端末装置側で利用可能とするための通信制御方法が開示されている。このサービス提供システムでは、ユーザ端末装置のサービス発見部は、ユーザの要求に応じて利用可能な状態のサービスの一覧を生成するように構成されている。
【先行技術文献】
【特許文献】
【０００４】
【特許文献１】特許第４３６５４０１号公報
【発明の概要】
【発明が解決しようとする課題】
【０００５】
しかしながら、上記特許文献１のユーザ端末装置では、ユーザは、ネットワークを介して提供されるサービスのうち、利用可能な状態のサービスを調べるために、サービス発見部に対して利用可能な状態のサービスの一覧の生成を要求する必要がある。ここで、サービス発見部に利用可能な状態のサービスの一覧を生成させるためには、ユーザの手動による操作が必要であると考えられる。このため、ネットワークを介して提供されるサービスのうち、利用可能な状態のサービスを調べる場合におけるユーザの作業が煩雑になるという問題点がある。
【０００６】
この発明は、上記のような課題を解決するためになされたものであり、この発明の１つの目的は、ネットワークを介して提供されるサービスのうち、利用可能な状態のサービスを調べる場合におけるユーザの作業の負担を軽減することが可能な映像受信機を提供することである。
【課題を解決するための手段および発明の効果】
【０００７】
上記目的を達成するために、この発明の一の局面による映像受信機は、テレビジョン映像を受信する映像受信部と、サービスを提供するサーバとネットワークを介して接続可能な通信部と、少なくとも通信部とサーバとの接続状態に基づいてサーバにより提供されるサービスが利用可能な状態であるか否かの判断を行うとともに、少なくとも利用可能な状態と判断したサービスをユーザに通知する制御を行う制御部とを備える。
【０００８】
この一の局面による映像受信機では、上記のように、制御部を、少なくとも利用可能な状態と判断したサービスをユーザに通知する制御を行うように構成することによって、ユーザは、制御部により自動的に通知されるサービスを認識することにより、少なくとも利用可能な状態と判断されたサービスを認識することができる。これにより、利用可能な状態のサービスを調べたい場合に、たとえば利用可能な状態のサービスの一覧を生成させるための手動による操作を行う必要がない。その結果、ネットワークを介して提供されるサービスのうち、利用可能な状態のサービスを調べる場合におけるユーザの作業の負担を軽減することができる。
【０００９】
上記一の局面による映像受信機において、好ましくは、制御部は、少なくとも利用可能な状態と判断されたサービスをユーザが視覚的に認識可能なようにユーザに通知する制御を行うように構成されている。このように構成すれば、ユーザは、制御部により通知されるサービスを視覚的に認識することができるので、利用可能な状態のサービスを容易に認識することができる。
【００１０】
上記一の局面による映像受信機において、好ましくは、サーバは、コンテンツを配信するサービスを提供するように構成されており、制御部は、通信部とサーバとの接続が有効である場合に、通信部を介してサーバにより配信されるコンテンツの一覧を示すコンテンツリストを取得するとともに、コンテンツリストが取得された場合に、サーバにより提供されるサービスが利用可能な状態であると判断するように構成されている。このように構成すれば、通信部とサーバとの接続が有効な場合であっても、コンテンツリストが取得されない場合には、サービスが利用可能な状態であると判断されない。これにより、たとえば通信部とサーバとの接続状態にのみ基づいてサービスが利用可能な状態であるか否かの判断が行われる場合と異なり、サービスが利用可能な状態であるか否かをより的確に判断することができる。
【００１１】
この場合、好ましくは、制御部は、サーバが外部ネットワーク上にある場合には、ユーザにより予め設定されたログイン情報を用いて外部ネットワーク上のサーバにログインを行うとともに、外部ネットワーク上のサーバのコンテンツリストを取得するように構成されている。このように構成すれば、通信部と外部ネットワーク上のサーバとの接続が有効な場合であっても、外部ネットワーク上のサーバにログインを行うことができない場合には、サービスが利用可能な状態であると判断されない。これにより、たとえば通信部と外部ネットワーク上のサーバとの接続状態にのみ基づいてサービスが利用可能な状態であるか否かの判断が行われる場合と異なり、サービスが利用可能な状態であるか否かをより的確に判断することができる。
【００１２】
上記コンテンツリストが取得された場合にサーバにより提供されるサービスが利用可能な状態であると判断する映像受信機において、好ましくは、制御部により取得されたコンテンツリストを記憶するコンテンツリスト記憶部をさらに備える。このように構成すれば、制御部により取得されたコンテンツリストをコンテンツリスト記憶部に記憶させておくことができる。これにより、利用可能な状態のサービスを利用するためにコンテンツリストを使用したい場合に、コンテンツリスト記憶部に記憶されたコンテンツリストを使用することができるので、制御部によりネットワークを介してコンテンツリストを再度取得する必要がない。その結果、ユーザは、利用可能な状態のサービスを迅速に利用することができる。
【００１３】
上記一の局面による映像受信機において、好ましくは、制御部は、サーバにより提供されるサービスが利用可能な状態であるか否かの判断を定期的に行うように構成されている。このように構成すれば、サーバにより提供されるサービスが利用可能な状態であるか否かの判断が定期的に繰り返し行われるので、サービスが利用可能な状態であるか否かが変動した場合であっても、ユーザは、利用可能な状態のサービスを確実に把握することができる。
【００１４】
上記一の局面による映像受信機において、好ましくは、サービスは、複数のサービスを含み、制御部は、利用可能な状態と判断されたサービスと、利用不可能な状態と判断されたサービスとをユーザが視覚的に認識可能なようにユーザに通知する制御を行うように構成されている。このように構成すれば、ユーザは、制御部により通知されるサービスを視覚的に認識することにより、利用可能な状態のサービスだけでなく、利用不可能な状態のサービスも容易に認識することができる。
【００１５】
この場合、好ましくは、コンテンツを再生可能なコンテンツ表示部をさらに備え、制御部は、複数のサービスを、それぞれ利用可能な状態と判断されたか否かをユーザが視覚的に識別可能な状態で一覧表示する判断結果表示画面をコンテンツ表示部に表示させることにより、利用可能な状態と判断されたサービスと、利用不可能な状態と判断されたサービスとをユーザが視覚的に認識可能なようにユーザに通知するように構成されている。このように構成すれば、ユーザは、判断結果表示画面を見ることにより、複数のサービスのうち、どのサービスが利用可能な状態であり、どのサービスが利用不可能な状態であるかを容易に認識することができる。
【００１６】
上記利用可能な状態と判断されたサービスと、利用不可能な状態と判断されたサービスとをユーザが視覚的に認識可能なようにユーザに通知する映像受信機において、好ましくは、複数のサービスに対応する複数の発光部をさらに備え、制御部は、複数の発光部のうち、利用可能な状態と判断されたサービスに対応する発光部を点灯または点滅させることにより、利用可能な状態と判断されたサービスと、利用不可能な状態と判断されたサービスとをユーザが視覚的に認識可能なようにユーザに通知するように構成されている。このように構成すれば、ユーザは、複数の発光部のそれぞれが点灯または点滅しているか否かを見ることにより、複数のサービスのうち、どのサービスが利用可能な状態であり、どのサービスが利用不可能な状態であるかを容易に認識することができる。
【図面の簡単な説明】
【００１７】
【図１】本発明の第１実施形態によるテレビジョン装置の構成を示したブロック図である。
【図２】本発明の第１実施形態によるテレビジョン装置により利用可能なサービスと利用不可能なサービスとがユーザに通知される場合における制御部の制御動作を説明するためのフローチャートである。
【図３】本発明の第１実施形態によるテレビジョン装置が利用可能なサービスと利用不可能なサービスとをユーザに通知している状態を示した図である。
【図４】本発明の第２実施形態によるセットトップボックスの構成を示したブロック図である。
【図５】本発明の第２実施形態によるセットトップボックスにより利用可能なサービスと利用不可能なサービスとがユーザに通知される場合における制御部の制御動作を説明するためのフローチャートである。
【図６】本発明の第２実施形態によるセットトップボックスが利用可能なサービスと利用不可能なサービスとをユーザに通知している状態を示した図である。
【発明を実施するための形態】
【００１８】
以下、本発明の実施形態を図面に基づいて説明する。
【００１９】
（第１実施形態）
まず、図１を参照して、本発明の第１実施形態によるテレビジョン装置１０の構成について説明する。なお、テレビジョン装置１０は、本発明の「映像受信機」の一例である。
【００２０】
テレビジョン装置１０は、図１に示すように、ＬＡＮ通信部１１（Ｌｏｃａｌ  Ａｒｅａ  Ｎｅｔｗｏｒｋ通信部）と、チューナ１２と、制御部１３と、表示部１４と、リモコン受信部１５と、リモコン１６と、メモリ１７とから構成されている。なお、チューナ１２は、本発明の「映像受信部」の一例であるとともに、ＬＡＮ通信部１１は、本発明の「通信部」の一例である。また、表示部１４は、本発明の「コンテンツ表示部」の一例であるとともに、メモリ１７は、本発明の「コンテンツリスト記憶部」の一例である。
【００２１】
ＬＡＮ通信部１１は、サーバ１と、ＬＡＮからなるホームネットワークを介して接続可能なように構成されている。また、ＬＡＮ通信部１１は、サーバ２およびサーバ３と、ホームネットワーク、ルータ２０およびＷＡＮ（Ｗｉｄｅ  Ａｒｅａ  Ｎｅｔｗｏｒｋ）からなるインターネットを介して接続可能なように構成されている。なお、サーバ１、サーバ２およびサーバ３は、それぞれ、コンテンツを配信するサービスであるサービスＡ、サービスＢおよびサービスＣを提供するように構成されている。たとえば、サーバ１は、ホームネットワークを介してコンテンツを配信するサービスＡを行うＤＬＮＡ（Ｄｉｇｉｔａｌ  Ｌｉｖｉｎｇ  Ｎｅｔｗｏｒｋ  Ａｌｌｉａｎｃｅ）対応のデジタルメディアサーバである。また、サーバ２は、インターネットを介してラジオの音声を配信するサービスＢを行うサーバであり、サーバ３は、インターネットを介して動画を配信するサービスＣを行うサーバである。
【００２２】
チューナ１２は、アンテナ３０を介してテレビジョン放送を受信するように構成されている。制御部１３は、制御信号を伝送することによって、たとえば表示部１４の表示内容の制御を行うなど、テレビジョン装置１０全体の制御を行うように構成されている。表示部１４は、チューナ１２により受信されたテレビジョン放送を表示することが可能なように構成されている。また、表示部１４は、サーバ１〜３により配信され、ＬＡＮ通信部１１により受信されるコンテンツを再生可能なように構成されている。
【００２３】
リモコン受信部１５は、リモコン１６からの操作信号を受信するように構成されている。また、リモコン受信部１５は、制御部１３に接続されている。これにより、ユーザは、リモコン１６を操作することにより、テレビジョン装置１０全体の制御を行うことが可能である。たとえば、ユーザは、リモコン１６を操作することにより、サーバ１〜３により配信され、ＬＡＮ通信部１１により受信されるコンテンツを表示部１４に再生させることが可能である。
【００２４】
ここで、第１実施形態では、制御部１３は、少なくともＬＡＮ通信部１１とサーバ１〜３との接続状態に基づいてサーバ１〜３により提供されるサービスＡ〜Ｃが利用可能な状態であるか否かの判断を行うように構成されている。
【００２５】
また、制御部１３は、ＬＡＮ通信部１１とサーバ１〜３との接続が有効である場合に、ＬＡＮ通信部１１を介してサーバＡ〜Ｃにより配信されるコンテンツの一覧を示すコンテンツリストを取得するとともに、コンテンツリストが取得された場合に、サーバ１〜３によりそれぞれ提供されるサービスＡ〜Ｃが利用可能な状態であると判断するように構成されている。すなわち、制御部１３は、ＬＡＮ通信部１１とサーバ１〜３との接続が有効であっても、コンテンツリストが取得されない場合には、ＬＡＮ通信部１１に接続されているサーバ１〜３によりそれぞれ提供されるサービスＡ〜Ｃが利用不可能な状態であると判断する。たとえば、インターネット上のサーバ２およびサーバ３のコンテンツリストを取得するために後述するログイン情報が必要な場合であって、ユーザにより予めログイン情報が設定されていないことによりサーバ２およびサーバ３にログインを行うことができない場合には、ＬＡＮ通信部１１とサーバ２およびサーバ３との接続が有効であっても、サーバ２およびサーバ３のコンテンツリストが取得されないので、サービスＢおよびサービスＣは利用不可能な状態であると判断される。
【００２６】
また、制御部１３は、ユーザにより予め設定されたログイン情報を用いて外部ネットワーク（インターネット）上にあるサーバ２およびサーバ３にログインを行うとともに、サーバ２およびサーバ３のコンテンツリストを取得するように構成されている。ログイン情報は、たとえば、ユーザ名およびパスワードからなる。また、ユーザは、ユーザ名およびパスワードを予め設定しておくことが可能であり、予め設定したユーザ名およびパスワードをテレビジョン装置１０に記憶させておくことが可能である。
【００２７】
また、制御部１３は、サーバ１〜３によりそれぞれ提供されるサービスＡ〜Ｃが利用可能な状態であるか否かの判断を定期的に行うように構成されている。すなわち、制御部１３は、ＬＡＮ通信部１１とサーバ１〜３との接続状態の確認と、有効に接続されているサーバ１〜３のコンテンツリストの取得とを、たとえば１分間隔で繰り返し行うように構成されている。ここで、メモリ１７は、制御部１３により取得されたコンテンツリストを記憶するように構成されている。すなわち、メモリ１７に記憶されるコンテンツリストは、たとえば１分間隔で最新のコンテンツリストに更新される。
【００２８】
また、制御部１３は、少なくとも利用可能な状態と判断したサービス（たとえば、サービスＡ）をユーザに通知する制御を行うように構成されている。第１実施形態では、利用可能な状態と判断されたサービス（たとえば、サービスＡ）だけでなく、利用不可能な状態と判断されたサービス（たとえば、サービスＢおよびサービスＣ）もユーザに通知される。また、制御部１３は、少なくとも利用可能な状態と判断されたサービス（たとえば、サービスＡ）をユーザが視覚的に認識可能なようにユーザに通知する制御を行うように構成されている。第１実施形態では、利用可能な状態と判断されたサービス（たとえば、サービスＡ）だけでなく、利用不可能な状態と判断されたサービス（たとえば、サービスＢおよびサービスＣ）もユーザが視覚的に認識可能なようにユーザに通知される。
【００２９】
また、制御部１３は、３つのサービスＡ〜Ｃを、それぞれ利用可能な状態と判断されたか否かをユーザが視覚的に識別可能な状態で一覧表示する判断結果表示画面１４ａ（図３参照）を表示部１４に表示させることにより、利用可能な状態と判断されたサービス（たとえば、サービスＡ）と、利用不可能な状態と判断されたサービス（たとえば、サービスＢおよびサービスＣ）とをユーザが視覚的に認識可能なようにユーザに通知するように構成されている。具体的には、制御部１３は、サービスＡ（ＤＬＮＡ）を利用可能な状態と判断し、サービスＢ（ラジオ配信）およびサービスＣ（動画配信）を利用不可能な状態と判断した場合に、図３に示すような、サービスＡ（ＤＬＮＡ）を明るく目立つように表示するとともに、サービスＢ（ラジオ配信）およびサービスＣ（動画配信）を暗く目立たないように表示する判断結果表示画面１４ａを表示部１４に表示させる。この場合、ユーザは、図３に示す判断結果表示画面１４ａを見ることにより、明るく目立つように表示されたサービスＡ（ＤＬＮＡ）が利用可能な状態であり、暗く目立たないように表示されたサービスＢ（ラジオ配信）およびサービスＣ（動画配信）が利用不可能な状態であることを視覚的に認識することが可能である。
【００３０】
次に、図２および図３を参照して、本発明の第１実施形態によるテレビジョン装置１０により利用可能な状態のサービスと利用不可能な状態のサービスとがユーザに通知される場合における制御部１３の制御動作を説明する。
【００３１】
図２に示すように、まず、ステップＳ１において、ＬＡＮ通信部１１にＬＡＮケーブルが物理的に接続されているか否かが判断される。なお、ＬＡＮ通信部１１にＬＡＮケーブルが物理的に接続されているか否かは、たとえば、ＬＡＮ通信部１１のＬＡＮコントローラからＬＡＮケーブルの接続状態が取得されることにより判断される。ステップＳ１においては、ＬＡＮ通信部１１にＬＡＮケーブルが物理的に接続されていると判断された場合に、ステップＳ２に進む。なお、ステップＳ１において、ＬＡＮ通信部１１にＬＡＮケーブルが物理的に接続されていないと判断された場合には、ステップＳ１０に進む。
【００３２】
次に、ステップＳ２において、ホームネットワーク上のサーバ１と通信可能か否かが判断される。なお、サーバ１と通信可能か否かは、たとえば、テレビジョン装置１０に割り当てられたＩＰアドレス（Ｉｎｔｅｒｎｅｔ  Ｐｒｏｔｏｃｏｌアドレス）が無効なＩＰアドレスであるか否かにより判断される。テレビジョン装置１０に割り当てられたＩＰアドレスが無効なＩＰアドレスであった場合には、サーバ１との通信は不可能であると判断される。ここで、無効なＩＰアドレスとは、たとえば、「０．０．０．０」または「２５５．２５５．２５５．２５５」というＩＰアドレスである。
【００３３】
ステップＳ２においては、サーバ１と通信可能であると判断された場合に、ステップＳ３に進む。なお、ステップＳ２において、サーバ１と通信不可能であると判断された場合には、ステップＳ６に進む。以上のステップＳ１およびステップＳ２により、ＬＡＮ通信部１１とサーバ１との接続が有効であるか否かが確認される。
【００３４】
次に、ステップＳ３において、サーバ１のコンテンツリストの取得が試みられる。そして、ステップＳ４に進む。次に、ステップＳ４において、サーバ１のコンテンツリストが取得されたか否かが判断される。ステップＳ４においては、サーバ１のコンテンツリストが取得されたと判断された場合に、ステップＳ５に進む。なお、ステップＳ４において、サーバ１のコンテンツリストが取得されなかったと判断された場合には、ステップＳ６に進む。次に、ステップＳ５において、取得されたサーバ１のコンテンツリストがメモリ１７に記憶される。そして、ステップＳ６に進む。
【００３５】
次に、ステップＳ６において、インターネット上のサーバ２およびサーバ３と通信可能か否かが判断される。サーバ２およびサーバ３と通信可能か否かは、たとえば、テレビジョン装置１０に予め設定されているＤＮＳサーバ（Ｄｏｍａｉｎ  Ｎａｍｅ  Ｓｙｓｔｅｍサーバ）やプロキシサーバに対してｐｉｎｇパケットを送信し、返信されたパケットを確認することにより判断される。ステップＳ６においては、サーバ２およびサーバ３と通信可能と判断された場合に、ステップＳ７に進む。なお、ステップＳ６において、サーバ２およびサーバ３と通信不可能と判断された場合には、ステップＳ１０に進む。このステップＳ６により、ＬＡＮ通信部１１とサーバ２およびサーバ３との接続が有効であるか否かが確認される。
【００３６】
次に、ステップＳ７において、サーバ２およびサーバ３のコンテンツリストの取得が試みられる。そして、ステップＳ８に進む。次に、ステップＳ８において、サーバ２およびサーバ３のコンテンツリストが取得されたか否かが判断される。ここで、サーバ２およびサーバ３のコンテンツリストを取得するためにログインが必要な場合には、ユーザにより予め設定されたログイン情報が用いられることにより、自動的にサーバ２およびサーバ３へのログインが行われる。ステップＳ８においては、サーバ２およびサーバ３のコンテンツリストが取得されたと判断された場合に、ステップＳ９に進む。なお、ステップＳ８において、サーバ２およびサーバ３のコンテンツリストが取得されなかったと判断された場合には、ステップＳ１０に進む。次に、ステップＳ９において、取得されたサーバ２およびサーバ３のコンテンツリストがメモリ１７に記憶される。そして、ステップＳ１０に進む。
【００３７】
次に、ステップＳ１０において、ステップＳ１〜ステップＳ９の結果に基づいて、サーバ１〜３によりそれぞれ提供されるサービスＡ〜Ｃが利用可能な状態であるか否かの判断が行われ、ステップＳ１１に進む。ステップＳ１０においては、ＬＡＮ通信部１１とサーバとの接続が有効であり、かつ、有効に接続されているサーバのコンテンツリストが取得された場合に、サービスが利用可能な状態であると判断される。また、ステップＳ１０においては、ＬＡＮ通信部１１とサーバとの接続が有効でない場合に、または、ＬＡＮ通信部１１とサーバとの接続が有効である一方で、有効に接続されているサーバのコンテンツリストが取得されなかった場合に、サービスが利用不可能な状態であると判断される。
【００３８】
次に、ステップＳ１１において、ステップＳ１０における判断結果を表示する判断結果表示画面１４ａ（図３参照）が表示部１４に表示され、制御動作を終了する。判断結果表示画面１４ａには、利用可能な状態と判断されたサービスと、利用不可能な状態と判断されたサービスとが表示される。たとえば、ステップＳ１０において、サービスＡ（ＤＬＮＡ）が利用可能な状態と判断され、サービスＢ（ラジオ配信）およびサービスＣ（動画配信）が利用不可能な状態された場合には、図３に示すような、サービスＡ（ＤＬＮＡ）が明るく目立つように表示されるとともに、サービスＢ（ラジオ配信）およびサービスＣ（動画配信）が暗く目立たないように表示される判断結果表示画面１４ａが表示部１４に表示される。これにより、利用可能な状態のサービスと、利用不可能な状態のサービスとがユーザに通知される。なお、以上のステップＳ１〜ステップＳ１１の制御動作は、たとえば１分間隔で定期的に繰り返し行われる。
【００３９】
第１実施形態によるテレビジョン装置１０では、上記のように、制御部１３を、少なくとも利用可能な状態と判断したサービス（たとえば、サービスＡ）をユーザに通知する制御を行うように構成している。これにより、ユーザは、制御部１３により自動的に通知されるサービス（たとえば、サービスＡ）を認識することにより、少なくとも利用可能な状態と判断されたサービス（たとえば、サービスＡ）を認識することができる。その結果、利用可能な状態のサービスを調べたい場合に、たとえば利用可能な状態のサービスの一覧を生成させるための手動による操作を行う必要がない。すなわち、ネットワークを介して提供されるサービスＡ〜Ｃのうち、利用可能な状態のサービス（たとえば、サービスＡ）を調べる場合におけるユーザの作業の負担を軽減することができる。
【００４０】
また、第１実施形態では、上記のように、制御部１３を、少なくとも利用可能な状態と判断されたサービス（たとえば、サービスＡ）をユーザが視覚的に認識可能なようにユーザに通知する制御を行うように構成している。これにより、ユーザは、制御部１３により通知されるサービス（たとえば、サービスＡ）を視覚的に認識することができるので、利用可能な状態のサービス（たとえば、サービスＡ）を容易に認識することができる。
【００４１】
また、第１実施形態では、上記のように、制御部１３を、ＬＡＮ通信部１１とサーバ１〜３との接続が有効である場合に、ＬＡＮ通信部１１を介してサーバ１〜３により配信されるコンテンツの一覧を示すコンテンツリストを取得するとともに、コンテンツリストが取得された場合に、サーバ１〜３によりそれぞれ提供されるサービスＡ〜Ｃが利用可能な状態であると判断するように構成している。これにより、ＬＡＮ通信部１１とサーバ１〜３との接続が有効な場合であっても、コンテンツリストが取得されない場合には、サービスＡ〜Ｃが利用可能な状態であると判断されない。その結果、たとえばＬＡＮ通信部１１とサーバ１〜３との接続状態にのみ基づいてサービスＡ〜Ｃが利用可能な状態であるか否かの判断が行われる場合と異なり、サービスＡ〜Ｃが利用可能な状態であるか否かをより的確に判断することができる。
【００４２】
また、第１実施形態では、上記のように、制御部１３を、ユーザにより予め設定されたログイン情報を用いてインターネット上のサーバ２およびサーバ３にログインを行うとともに、サーバ２およびサーバ３のコンテンツリストを取得するように構成している。これにより、ＬＡＮ通信部１１とサーバ２およびサーバ３との接続が有効な場合であっても、サーバ２およびサーバ３にログインを行うことができない場合には、サービスＢおよびサービスＣが利用可能な状態であると判断されない。その結果、たとえばＬＡＮ通信部１１とサーバ２およびサーバ３との接続状態にのみ基づいてサービスＢおよびサービスＣが利用可能な状態であるか否かの判断が行われる場合と異なり、サービスＢおよびサービスＣが利用可能な状態であるか否かをより的確に判断することができる。
【００４３】
また、第１実施形態では、上記のように、制御部１３により取得されたコンテンツリストを記憶するメモリ１７を設けている。これにより、制御部１３により取得されたコンテンツリストをメモリ１７に記憶させておくことができる。その結果、利用可能な状態のサービスを利用するためにコンテンツリストを使用したい場合に、メモリ１７に記憶されたコンテンツリストを使用することができるので、制御部１３によりネットワークを介してコンテンツリストを再度取得する必要がない。すなわち、ユーザは、利用可能な状態のサービスＡ〜Ｃを即座に利用することができる。
【００４４】
また、第１実施形態では、上記のように、制御部１３を、サーバ１〜３によりそれぞれ提供されるサービスＡ〜Ｃが利用可能な状態であるか否かの判断を定期的に行うように構成している。これにより、サーバ１〜３によりそれぞれ提供されるサービスＡ〜Ｃが利用可能な状態であるか否かの判断が定期的に繰り返し行われるので、たとえばＬＡＮ通信部１１とサーバ１〜３との接続状態が変動することによってサーバ１〜３によりそれぞれ提供されるサービスＡ〜Ｃの状態が変動した場合であっても、ユーザは、利用可能な状態のサービスＡ〜Ｃを確実に把握することができる。
【００４５】
また、第１実施形態では、上記のように、制御部１３を、利用可能な状態と判断されたサービス（たとえば、サービスＡ）と、利用不可能な状態と判断されたサービス（たとえば、サービスＢおよびサービスＣ）とをユーザが視覚的に認識可能なようにユーザに通知する制御を行うように構成している。これにより、ユーザは、制御部１３により通知されるサービスＡ〜Ｃを視覚的に認識することにより、利用可能な状態のサービス（たとえば、サービスＡ）だけでなく、利用不可能な状態のサービス（たとえば、サービスＢおよびサービスＣ）も容易に認識することができる。
【００４６】
また、第１実施形態では、上記のように、コンテンツを再生可能な表示部１４を設け、制御部１３を、３つのサービスＡ〜Ｃを、それぞれ利用可能な状態と判断されたか否かをユーザが視覚的に識別可能な状態で一覧表示する判断結果表示画面１４ａを表示部１４に表示させることにより、利用可能な状態と判断されたサービス（たとえば、サービスＡ）と、利用不可能な状態と判断されたサービス（たとえば、サービスＢおよびサービスＣ）とをユーザが視覚的に認識可能なようにユーザに通知するように構成している。これにより、ユーザは、判断結果表示画面１４ａを見ることにより、３つのサービスＡ〜Ｃのうち、どのサービスが利用可能な状態であり、どのサービスが利用不可能な状態であるかを容易に認識することができる。
【００４７】
（第２実施形態）
次に、図４を参照して、本発明の第２実施形態によるセットトップボックス４０の構成について説明する。この第２実施形態では、サーバ１〜３により提供されるサービスＡ〜Ｃのそれぞれが利用可能な状態であるか否かを、判断結果表示画面１４ａ（図３参照）を用いてユーザに通知するように構成された第１実施形態と異なり、３つのサービスＡ〜Ｃにそれぞれ対応する３つのＬＥＤ（Ｌｉｇｈｔ  Ｅｍｉｔｔｉｎｇ  Ｄｉｏｄｅ）４８ａ〜４８ｃ（図６参照）を用いてユーザに通知するように構成されている。
【００４８】
セットトップボックス４０は、図４に示すように、ＬＡＮ通信部４１と、ＣＡＴＶ受信部（Ｃｏｍｍｕｎｉｔｙ  Ａｎｔｅｎｎａ  Ｔｅｌｅｖｉｓｉｏｎ受信部）４２と、制御部４３と、映像出力部４４と、リモコン受信部４５と、リモコン４６と、メモリ４７と、３つのＬＥＤ４８ａ、４８ｂおよび４８ｃとから構成されている。なお、ＬＡＮ通信部４１は、本発明の「通信部」の一例であり、メモリ４７は、本発明の「コンテンツリスト記憶部」の一例である。また、ＬＥＤ４８ａ〜４８ｃは、本発明の「発光部」の一例である。
【００４９】
ＬＡＮ通信部４１は、上記第１実施形態のＬＡＮ通信部１１と同様に、サーバ１とホームネットワークを介して接続可能なように構成されている。また、ＬＡＮ通信部４１は、サーバ２およびサーバ３と、ホームネットワーク、ルータ２０およびインターネットを介して接続可能なように構成されている。なお、サーバ１〜３の構成は、上記第１実施形態と同様である。
【００５０】
ＣＡＴＶ受信部４２は、ケーブルを介してケーブルテレビ局５０により送信されるテレビジョン映像を受信するように構成されている。制御部４３は、制御信号を伝送することによってセットトップボックス４０全体の制御を行うように構成されている。また、制御部４３は、映像出力部４４を介してテレビジョン装置６０に接続されている。テレビジョン装置６０は、表示部６１を有している。これにより、制御部４３は、テレビジョン装置６０の表示部６１の表示内容を制御することが可能である。たとえば、制御部４３は、ＣＡＴＶ受信部４２により受信されたテレビジョン映像またはＬＡＮ通信部４１により受信されたコンテンツをテレビジョン装置６０の表示部６１に再生させることが可能である。
【００５１】
リモコン受信部４５は、リモコン４６からの操作信号を受信するように構成されている。リモコン受信部４５により受信された操作信号は、制御部４３に送信される。これにより、ユーザは、リモコン４６を操作することにより、セットトップボックス４０およびテレビジョン装置６０の制御を行うことが可能である。すなわち、ユーザは、リモコン４６を操作することにより、サーバ１〜３によりそれぞれ提供されるサービスＡ〜Ｃを利用することが可能である。
【００５２】
ここで、第２実施形態では、３つのサービスＡ〜Ｃにそれぞれ対応する３つのＬＥＤ４８ａ〜４８ｃが設けられている。そして、制御部４３は、３つのＬＥＤ４８ａ〜４８ｃのうち、利用可能な状態と判断されたサービス（たとえば、サービスＡ）に対応するＬＥＤ（たとえば、ＬＥＤ４８ａ）を点灯させることにより、利用可能な状態と判断されたサービス（たとえば、サービスＡ）と、利用不可能な状態と判断されたサービス（たとえば、サービスＢおよびサービスＣ）とをユーザが視覚的に認識可能なようにユーザに通知するように構成されている。具体的には、制御部４３によりサービスＡが利用可能な状態と判断され、サービスＢおよびサービスＣが利用不可能な状態と判断された場合、図６に示すように、利用可能な状態のサービスＡ（ＤＬＮＡ）に対応するＬＥＤ４８ａが点灯する。なお、この場合、利用不可能な状態のサービスＢ（ラジオ配信）およびサービスＣ（動画配信）に対応するＬＥＤ４８ｂおよびＬＥＤ４８ｃは点灯しない。これにより、ユーザは、図６に示す３つのＬＥＤ４８ａ〜４８ｃの点灯状態を見ることにより、点灯されたＬＥＤ４８ａに対応するサービスＡ（ＤＬＮＡ）が利用可能な状態であり、点灯されないＬＥＤ４８ｂおよびＬＥＤ４８ｃにそれぞれ対応するサービスＢ（ラジオ配信）およびサービスＣ（動画配信）が利用不可能な状態であることを視覚的に認識することが可能である。
【００５３】
次に、図５を参照して、本発明の第２実施形態によるセットトップボックス４０により利用可能な状態のサービスと利用不可能な状態のサービスとがユーザに通知される場合における制御部４３の制御動作を説明する。なお、図５に示すステップＳ２１〜ステップＳ３０の制御部４３の制御動作は、上記第１実施形態における、図２に示すステップＳ１〜ステップＳ１０の制御部１３の制御動作と同様である。また、ステップＳ２１〜ステップＳ３１の制御動作が定期的に（たとえば１分間隔で）繰り返される点も上記第１実施形態と同様である。以下では、ステップＳ３１について説明する。
【００５４】
図５に示すように、ステップＳ３１においては、ステップＳ３０において利用可能な状態と判断されたサービスに対応するＬＥＤが点灯され、制御動作を終了する。なお、ステップＳ３１においては、ステップＳ３０において利用不可能な状態と判断されたサービスに対応するＬＥＤは点灯されない。たとえば、ステップＳ３０において、サービスＡ（ＤＬＮＡ）が利用可能な状態と判断され、サービスＢ（ラジオ配信）およびサービスＣ（動画配信）が利用不可能な状態と判断された場合には、図６に示すように、サービスＡ（ＤＬＮＡ）に対応するＬＥＤ４８ａのみが点灯される。そして、この場合、利用不可能な状態のサービスＢ（ラジオ配信）およびサービスＣ（動画配信）にそれぞれ対応するＬＥＤ４８ｂおよびＬＥＤ４８ｃは点灯されない。これにより、利用可能な状態のサービスと、利用不可能な状態のサービスとがユーザに通知される。
【００５５】
第２実施形態によるセットトップボックス４０では、上記のように、３つのサービスＡ〜Ｃにそれぞれ対応する３つのＬＥＤ４８ａ〜４８ｃを設け、制御部４３を、３つのＬＥＤ４８ａ〜４８ｃのうち、利用可能な状態と判断されたサービス（たとえば、サービスＡ）に対応するＬＥＤ（たとえば、ＬＥＤ４８ａ）を点灯させることにより、利用可能な状態と判断されたサービス（たとえば、サービスＡ）と、利用不可能な状態と判断されたサービス（たとえば、サービスＢおよびサービスＣ）とをユーザが視覚的に認識可能なようにユーザに通知するように構成している。これにより、ユーザは、３つのＬＥＤ４８ａ〜４８ｃのそれぞれが点灯しているか否かを見ることにより、３つのサービスＡ〜Ｃのうち、どのサービスが利用可能な状態であり、どのサービスが利用不可能な状態であるかを容易に認識することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１および第２実施形態では、利用可能な状態のサービスと、利用不可能な状態のサービスとをユーザに通知するテレビジョン装置およびセットトップボックスを示したが、本発明はこれに限らない。本発明では、利用可能な状態のサービスのみをユーザに通知するテレビジョン装置およびセットトップボックスとしてもよい。
【００５８】
また、上記第１および第２実施形態では、利用可能な状態のサービスをユーザが視覚的に認識可能なようにユーザに通知するテレビジョン装置およびセットトップボックスを示したが、本発明はこれに限らない。本発明では、利用可能な状態のサービスを音声によりユーザに通知するテレビジョン装置およびセットトップボックスとしてもよい。
【００５９】
また、上記第１および第２実施形態では、ＬＡＮ通信部とサーバとの接続が有効であると確認され、かつ、コンテンツリストの取得が確認されたことを条件にサービスを利用可能な状態と判断するテレビジョン装置およびセットトップボックスを示したが、本発明はこれに限らない。本発明では、ＬＡＮ通信部とサーバとの接続が有効であると確認されたことのみを条件としてサービスを利用可能な状態と判断するテレビジョン装置およびセットトップボックスとしてもよい。
【００６０】
また、上記第１実施形態では、サービスが利用可能な状態であるか否かを表示する判断結果表示画面を表示部に表示させることにより、利用可能な状態のサービスをユーザに通知するテレビジョン装置を示したが、本発明はこれに限らない。本発明では、サービスに対応するＬＥＤを設け、利用可能な状態のサービスに対応するＬＥＤを点灯させることにより、利用可能な状態のサービスをユーザに通知するテレビジョン装置としてもよい。
【００６１】
また、上記第１実施形態では、コンテンツを再生可能な表示部に判断結果表示画面を表示させるテレビジョン装置を示したが、本発明はこれに限らない。本発明では、判断結果表示画面を表示させるための専用の表示部を、コンテンツを再生可能な表示部とは別個に設け、専用の表示部に判断結果表示画面を表示させるテレビジョン装置としてもよい。
【００６２】
また、上記第２実施形態では、サービスに対応するＬＥＤを備え、利用可能な状態のサービスに対応するＬＥＤを点灯させることにより、利用可能な状態のサービスをユーザに通知するセットトップボックスを示したが、本発明はこれに限らない。本発明では、上記第１実施形態と同様の判断結果表示画面を表示させるための専用の表示部を設け、専用の表示部に判断結果表示画面を表示させることにより、利用可能な状態のサービスをユーザに通知するセットトップボックスとしてもよい。
【００６３】
また、上記第２実施形態では、利用可能な状態のサービスに対応するＬＥＤを点灯させることにより、利用可能な状態のサービスをユーザに通知するセットトップボックスを示したが、本発明はこれに限らない。本発明では、利用可能な状態のサービスに対応するＬＥＤを点滅させることにより、利用可能な状態のサービスをユーザに通知するセットトップボックスとしてもよい。
【００６４】
また、上記第２実施形態では、リモコンを操作することにより利用可能な状態のサービスを利用することが可能なセットトップボックスを示したが、本発明はこれに限らない。本発明では、ＬＥＤを、対応するサービスを利用するためのボタンとしての機能を有するように構成し、点灯しているＬＥＤからなるボタンを押すことにより利用可能な状態のサービスを利用することが可能なセットトップボックスとしてもよい。
【００６５】
また、上記第１および第２実施形態では、本発明の映像受信機としてテレビジョン装置およびセットトップボックスを用いる例を示したが、本発明はこれに限らない。たとえば、本発明の映像受信機として、チューナを有する録画装置を用いてもよい。
【符号の説明】
【００６６】
１０  テレビジョン装置（映像受信器）
１１、４１  ＬＡＮ通信部（通信部）
１２  チューナ（映像受信部）
１４  表示部（コンテンツ表示部）
１７、４７  メモリ（コンテンツリスト記憶部）
４０  セットトップボックス（映像受信器）
４２  ＣＡＴＶ受信部（映像受信部）
４８ａ〜４８ｃ  ＬＥＤ（発光部）
【図１】
2011239116.tif 000003
【図２】
2011239116.tif 000004
【図３】
2011239116.tif 000005
【図４】
2011239116.tif 000006
【図５】
2011239116.tif 000007
【図６】
2011239116.tif 000008